(57)【要約】  【課題】  携帯電話等の要求装置において、一の会員制サイトにて第１提供情報の送信を要求した後、他の会員制サイトにて第１提供情報に関連する第２提供情報の送信を要求する場合に、他の会員制サイトにおける第２提供情報の検索を不要として利便性を向上させる情報提供方法、情報提供システム、提供装置及びコンピュータプログラムを提供する。  【解決手段】  第１提供装置１０から要求装置３０へ、第１提供情報と、第１提供情報に関連する符号列を示す符号列情報と、第１提供情報に関連する第２提供情報の提供元を示す提供元情報を要求装置３０にて生成させる生成用情報とを送信する。そして要求装置３０は、生成用情報により符号列に基づき提供元情報を生成し、生成した提供元情報にて示される第２提供装置２０へ第２提供情報の送信を要求し、第２提供装置２０は、第２提供情報を送信する。【選択図】      図１
2006072539.tif 000002
【特許請求の範囲】
【請求項１】
提供情報を送信する提供装置と、該提供装置に対して提供情報の送信を要求する要求装置とを用いた情報提供方法において、
前記提供装置は、
前記要求装置に対して、要求された第１提供情報及び該第１提供情報に関連する符号列を示す符号列情報を送信し、
前記要求装置は、
受信した符号列情報に基づいて、第２提供情報の提供元を示す提供元情報を生成し、
生成した提供元情報にて示される提供元へ、第２提供情報の送信を要求する
ことを特徴とする情報提供方法。
【請求項２】
提供情報を送信する一又は複数の提供装置と、該提供装置に対して提供情報の送信を要求する要求装置とを用い、前記提供装置は、提供情報の送信を許可する送信先として登録されていると判定した前記要求装置に対して提供情報の送信を許可する情報提供方法において、
前記提供装置は、
登録されていると判定した前記要求装置に対して、要求された第１提供情報、及び該第１提供情報に関連し、該第１提供情報と異なる登録を要する第２提供情報の提供元を示す提供元情報を送信し、
前記要求装置は、
受信した提供元情報にて示される提供元へ、第２提供情報の送信を要求し、
第２提供情報の送信を要求された提供装置は、
第２提供情報の送信の要求に対して、要求元の前記要求装置が、第２提供情報の送信を許可する送信先として登録されているか否かを判定し、
登録されていると判定した場合に、前記要求装置へ第２提供情報を送信する
ことを特徴とする情報提供方法。
【請求項３】
提供情報を送信する一又は複数の提供装置と、該提供装置に対して提供情報の送信を要求する要求装置とを備える情報提供システムにおいて、
前記提供装置は、
前記要求装置に対して、要求された第１提供情報、該第１提供情報に関連する符号列を示す符号列情報、及び該符号列情報に基づき第２提供情報の提供元を示す提供元情報を生成させる生成用情報を送信する手段を備え、
前記要求装置は、
受信した生成用情報により、符号列情報に基づき提供元情報を生成する手段と、
生成した提供元情報にて示される提供元へ、第２提供情報の送信を要求する手段と
を備える
ことを特徴とする情報提供システム。
【請求項４】
第２提供情報の送信を要求された提供装置は、
第２提供情報の送信の要求に対して、要求元の前記要求装置が、第２提供情報の送信を許可する送信先として登録されているか否かを判定する判定手段と、
該判定手段により登録されていると判定した場合に、前記要求装置へ第２提供情報を送信する手段と
を備えることを特徴とする請求項３に記載の情報提供システム。
【請求項５】
提供情報を送信する一又は複数の提供装置と、該提供装置に対して提供情報の送信を要求する要求装置とを備え、前記提供装置は、提供情報の送信を許可する送信先として登録されていると判定した前記要求装置に対して提供情報の送信を許可する情報提供システムにおいて、
前記提供装置は、
登録されていると判定した前記要求装置に対して、要求された第１提供情報、及び該第１提供情報に関連し、該第１提供情報と異なる登録を要する第２提供情報の提供元を示す提供元情報を送信する手段を備え、
前記要求装置は、
受信した提供元情報にて示される提供元の装置へ、第２提供情報の送信を要求する手段を備え、
第２提供情報の送信を要求された提供装置は、
第２提供情報の送信の要求に対して、要求元の前記要求装置が、第２提供情報の送信を許可する送信先として登録されているか否かを判定する判定手段と、
該判定手段により登録されていると判定した場合に、前記要求装置へ第２提供情報を送信する手段と
を備える
ことを特徴とする情報提供システム。
【請求項６】
前記第２提供情報の送信を要求された提供装置は、更に、
前記判定手段により登録されていないと判定した場合に、前記要求装置へ、登録の諾否についての回答を要求する諾否要求情報を送信する手段を備え、
前記要求装置は、更に、
受信した諾否要求情報に対して、登録を承諾する登録承諾情報を送信する手段を備え、
前記第２提供情報の送信を要求された提供装置は、更に、
受信した登録承諾情報の送信元の前記要求装置を、提供情報の送信を許可する送信先として登録する手段と、
前記要求装置へ、第２提供情報を送信する手段と
を備える
ことを特徴とする請求項４又は請求項５に記載の情報提供システム。
【請求項７】
前記要求装置は、自機を識別する識別情報を予め記録している携帯電話であり、
前記第２提供情報の送信を要求された提供装置が備える判定手段は、前記要求装置を識別する識別情報に基づいて判定するように構成していることを特徴とする請求項４乃至請求項６のいずれかに記載の情報提供システム。
【請求項８】
前記第１提供情報は、音楽を出力させる音楽情報又は該音楽情報の送信を要求する要求先であり、
前記第２提供情報は、前記音楽情報にて出力される音楽の歌詞を示す文字情報又は該文字情報の送信を要求する要求先である
ことを特徴とする請求項３乃至請求項７のいずれかに記載の情報提供システム。
【請求項９】
提供情報の送信を要求する要求装置と通信し、該要求装置に対して、要求された提供情報を送信する提供装置において、
前記要求装置に対して、要求された第１提供情報、該第１提供情報に関連する符号列を示す符号列情報、及び該符号列情報に基づき第２提供情報の提供元を示す提供元情報を生成させる生成用情報を送信する手段を備えることを特徴とする提供装置。
【請求項１０】
提供情報の送信を要求する要求装置と通信し、提供情報の送信を許可する送信先として登録されていると判定した前記要求装置に対して提供情報の送信を許可する提供装置において、
登録されていると判定した前記要求装置に対して、要求された第１提供情報、及び該第１提供情報に関連し、該第１提供情報と異なる登録を要する第２提供情報の提供元を示す提供元情報を送信する手段を備えることを特徴とする提供装置。
【請求項１１】
提供情報の送信を要求する要求元の装置と通信する通信手段を備えるコンピュータに、要求された提供情報を送信させるコンピュータプログラムにおいて、
コンピュータに、要求された第１提供情報、該第１提供情報に関連する符号列を示す符号列情報、及び該符号列情報に基づき第２提供情報の提供元を示す提供元情報を生成させる生成用情報を送信させる手順を実行させることを特徴とするコンピュータプログラム。
【請求項１２】
提供情報の送信を要求する要求元の装置と通信する通信手段を備えるコンピュータに、提供情報の送信を許可する送信先として登録されていると判定した要求元の装置に対して提供情報の送信を許可させるコンピュータプログラムにおいて、
コンピュータに、登録されていると判定した要求元の装置に対して、要求された第１提供情報、及び該第１提供情報に関連し、該第１提供情報と異なる登録を要する第２提供情報の提供元を示す提供元情報を送信させる手順を実行させることを特徴とするコンピュータプログラム。
【発明の詳細な説明】
【技術分野】
【０００１】
本発明は、提供情報を送信する提供装置と、該提供装置に対して提供情報の送信を要求する要求装置とを用いた情報提供方法、該情報提供方法を適用した情報提供システム、該情報提供システムにて用いられる提供装置、及び該提供装置を実現するためのコンピュータプログラムに関し、特にウェブサーバコンピュータ等の提供装置と、携帯電話等の要求装置とを用い、要求装置が提供装置にて提供される会員サイトから着信メロディ等の提供情報をダウンロードする情報提供方法、情報提供システム、提供装置及びコンピュータプログラムに関する。
【背景技術】
【０００２】
携帯電話に対して、着信メロディ、カラオケ用楽曲等の音楽情報、歌唱曲の歌詞等の文字情報を、通信網を介して提供する様々なサービスが提案されており、また普及している（例えば特許文献１参照。）。この様なウェブサーバコンピュータは、有料又は無料の会員制サイトとして音楽情報、文字情報等の提供情報を提供する形態が一般的である。会員制サイトでは、提供情報の送信を要求すべく携帯電話からアクセスがあった場合に、携帯電話に予め記録されている識別情報に基づき会員として登録されている携帯電話であるか否かを判定し、登録されていると判定した場合に提供情報を送信する。
【特許文献１】特開２００２−２３６４９２号公報
【発明の開示】
【発明が解決しようとする課題】
【０００３】
しかしながら携帯電話を操作する操作者が、携帯電話を用いて一の会員制サイトにログインし、カラオケ用楽曲をダウンロードした後、更にダウンロードしたカラオケ用楽曲の歌詞をダウンロードする際に、歌詞を提供しているサイトが、一の会員制サイトと異なる他の会員制サイトである場合、一の会員制サイトをログアウトした後、他の会員制サイトにログインし直さなければならない。そしてその場合、一の会員制サイトで検索したカラオケ用楽曲に対応する歌詞を再度検索しなければならず利便性に関する問題がある。
【０００４】
本発明は斯かる事情に鑑みてなされたものであり、ウェブサーバコンピュータ等の提供装置から携帯電話等の要求装置へ、カラオケ用楽曲等の第１提供情報を送信する場合に、第１提供情報と共に、カラオケ用楽曲の歌詞等の第１提供情報に関連する第２提供情報の提供元をリンク（ＵＲＬ：Uniform Resource Locator）として示すことができる情報を送信し、要求装置がリンクに基づいて第２提供情報の提供元の提供装置にアクセスした場合に、提供装置では、第２提供情報を提供装置から要求装置へ送信することにより、利便性を向上させる情報提供方法、該情報提供方法を適用した情報提供システム、該情報提供システムにて用いられる提供装置、及び該提供装置を実現するためのコンピュータプログラムの提供を目的とする。
【課題を解決するための手段】
【０００５】
第１発明に係る情報提供方法は、提供情報を送信する提供装置と、該提供装置に対して提供情報の送信を要求する要求装置とを用いた情報提供方法において、前記提供装置は、前記要求装置に対して、要求された第１提供情報及び該第１提供情報に関連する符号列を示す符号列情報を送信し、前記要求装置は、受信した符号列情報に基づいて、第２提供情報の提供元を示す提供元情報を生成し、生成した提供元情報にて示される提供元へ、第２提供情報の送信を要求することを特徴とする。
【０００６】
本発明では、第１提供情報に関連する第２提供情報の提供元を示すリンク等の提供元情報を、要求装置にて生成し、生成した提供元情報に基づき第２提供情報の送信を要求することができるので、第２提供情報を提供するサイトにおいて、第２提供情報の検索を行う必要が無く利便性に優れている。
【０００７】
第２発明に係る情報提供方法は、提供情報を送信する一又は複数の提供装置と、該提供装置に対して提供情報の送信を要求する要求装置とを用い、前記提供装置は、提供情報の送信を許可する送信先として登録されていると判定した前記要求装置に対して提供情報の送信を許可する情報提供方法において、前記提供装置は、登録されていると判定した前記要求装置に対して、要求された第１提供情報、及び該第１提供情報に関連し、該第１提供情報と異なる登録を要する第２提供情報の提供元を示す提供元情報を送信し、前記要求装置は、受信した提供元情報にて示される提供元へ、第２提供情報の送信を要求し、第２提供情報の送信を要求された提供装置は、第２提供情報の送信の要求に対して、要求元の前記要求装置が、第２提供情報の送信を許可する送信先として登録されているか否かを判定し、登録されていると判定した場合に、前記要求装置へ第２提供情報を送信することを特徴とする。
【０００８】
本発明では、異なる登録を要する二の会員制サイトに対し、関連する二の提供情報を要求する場合に、後からログインする会員制サイトにおいて、再度提供情報の検索を行う必要が無いので利便性に優れている。
【０００９】
第３発明に係る情報提供システムは、提供情報を送信する一又は複数の提供装置と、該提供装置に対して提供情報の送信を要求する要求装置とを備える情報提供システムにおいて、前記提供装置は、前記要求装置に対して、要求された第１提供情報、該第１提供情報に関連する符号列を示す符号列情報、及び該符号列情報に基づき第２提供情報の提供元を示す提供元情報を生成させる生成用情報を送信する手段を備え、前記要求装置は、受信した生成用情報により、符号列情報に基づき提供元情報を生成する手段と、生成した提供元情報にて示される提供元へ、第２提供情報の送信を要求する手段とを備えることを特徴とする。
【００１０】
本発明では、第１提供情報に関連する第２提供情報の提供元を示すリンク等の提供元情報を、要求装置にて生成し、生成した提供元情報に基づき第２提供情報の送信を要求することができるので、第２提供情報を提供するサイトにおいて、第２提供情報の検索を行う必要が無く利便性に優れている。
【００１１】
第４発明に係る情報提供システムは、第３発明において、第２提供情報の送信を要求された提供装置は、第２提供情報の送信の要求に対して、要求元の前記要求装置が、第２提供情報の送信を許可する送信先として登録されているか否かを判定する判定手段と、該判定手段により登録されていると判定した場合に、前記要求装置へ第２提供情報を送信する手段とを備えることを特徴とする。
【００１２】
本発明では、異なる登録を要する二の会員制サイトに対し、関連する二の提供情報を要求する場合に、後からログインする会員制サイトにおいて、再度提供情報の検索を行う必要が無いので利便性に優れている。
【００１３】
第５発明に係る情報提供システムは、提供情報を送信する一又は複数の提供装置と、該提供装置に対して提供情報の送信を要求する要求装置とを備え、前記提供装置は、提供情報の送信を許可する送信先として登録されていると判定した前記要求装置に対して提供情報の送信を許可する情報提供システムにおいて、前記提供装置は、登録されていると判定した前記要求装置に対して、要求された第１提供情報、及び該第１提供情報に関連し、該第１提供情報と異なる登録を要する第２提供情報の提供元を示す提供元情報を送信する手段を備え、前記要求装置は、受信した提供元情報にて示される提供元の装置へ、第２提供情報の送信を要求する手段を備え、第２提供情報の送信を要求された提供装置は、第２提供情報の送信の要求に対して、要求元の前記要求装置が、第２提供情報の送信を許可する送信先として登録されているか否かを判定する判定手段と、該判定手段により登録されていると判定した場合に、前記要求装置へ第２提供情報を送信する手段とを備えることを特徴とする。
【００１４】
本発明では、異なる登録を要する二の会員制サイトに対し、関連する二の提供情報を要求する場合に、後からログインする会員制サイトにおいて、再度提供情報の検索を行う必要が無いので利便性に優れている。
【００１５】
第６発明に係る情報提供システムは、第４発明又は第５発明において、前記第２提供情報の送信を要求された提供装置は、更に、前記判定手段により登録されていないと判定した場合に、前記要求装置へ、登録の諾否についての回答を要求する諾否要求情報を送信する手段を備え、前記要求装置は、更に、受信した諾否要求情報に対して、登録を承諾する登録承諾情報を送信する手段を備え、前記第２提供情報の送信を要求された提供装置は、更に、受信した登録承諾情報の送信元の前記要求装置を、提供情報の送信を許可する送信先として登録する手段と、前記要求装置へ、第２提供情報を送信する手段とを備えることを特徴とする。
【００１６】
本発明では、後からログインするサイトにおいて、会員として登録していない場合で、アクセス時に登録処理をおこなったときに、第１提供情報に関連する第２提供情報を送信することにより、後からログインする会員制サイトの会員として登録していない場合でも、その場で登録を行えば、再度提供情報の検索を行う必要がないので利便性に優れている。
【００１７】
第７発明に係る情報提供システムは、第４発明乃至第６発明のいずれかにおいて、前記要求装置は、自機を識別する識別情報を予め記録している携帯電話であり、前記第２提供情報の送信を要求された提供装置が備える判定手段は、前記要求装置を識別する識別情報に基づいて判定するように構成していることを特徴とする。
【００１８】
本発明では、携帯電話に適用することにより、市場が大きく多大な需要が見込め、また判定処理を容易に行うことが可能である。
【００１９】
第８発明に係る情報提供システムは、第３発明乃至第７発明のいずれかにおいて、前記第１提供情報は、音楽を出力させる音楽情報又は該音楽情報の送信を要求する要求先であり、前記第２提供情報は、前記音楽情報にて出力される音楽の歌詞を示す文字情報又は該文字情報の送信を要求する要求先であることを特徴とする。
【００２０】
本発明では、着信メロディ、カラオケ用楽曲等の音楽情報又はそのリンク先を第１提供情報とし、歌詞を示す文字情報又はそのリンク先を第２提供情報とすることにより、夫々単独で提供する場合でも、併せて提供する場合でも需要が見込める２種類のコンテンツを提供情報として関連付けることとなるので、消費者の需要に応じた形態での提供を行うことが可能である。
【００２１】
第９発明に係る提供装置は、提供情報の送信を要求する要求装置と通信し、該要求装置に対して、要求された提供情報を送信する提供装置において、前記要求装置に対して、要求された第１提供情報、該第１提供情報に関連する符号列を示す符号列情報、及び該符号列情報に基づき第２提供情報の提供元を示す提供元情報を生成させる生成用情報を送信する手段を備える。
【００２２】
本発明では、第１提供情報に関連する第２提供情報の提供元を示すＵＲＬ等の提供元情報を要求装置にて生成させるＪａｖａＳｃｒｉｐｔ（登録商標）等のスクリプト言語で記述した生成用情報を送信し、要求装置にて生成情報を生成させることにより、要求装置は、生成した提供元情報に基づき第２提供情報の送信を要求することができるので、要求装置側では、第２提供情報を提供するサイトにおいて、第２提供情報の検索を行う必要が無く利便性に優れている。
【００２３】
第１０発明に係る提供装置は、提供情報の送信を要求する要求装置と通信し、提供情報の送信を許可する送信先として登録されていると判定した前記要求装置に対して提供情報の送信を許可する提供装置において、登録されていると判定した前記要求装置に対して、要求された第１提供情報、及び該第１提供情報に関連し、該第１提供情報と異なる登録を要する第２提供情報の提供元を示す提供元情報を送信する手段を備えることを特徴とする。
【００２４】
本発明では、第１提供情報と共に、他の会員制サイトにて提供される第２提供情報のリンク先をも送信することにより、要求装置側では、後からログインする会員制サイトにおいて、再度提供情報の検索を行う必要が無いので利便性に優れている。
【００２５】
第１１発明に係るコンピュータプログラムは、提供情報の送信を要求する要求元の装置と通信する通信手段を備えるコンピュータに、要求された提供情報を送信させるコンピュータプログラムにおいて、コンピュータに、要求された第１提供情報、該第１提供情報に関連する符号列を示す符号列情報、及び該符号列情報に基づき第２提供情報の提供元を示す提供元情報を生成させる生成用情報を送信させる手順を実行させることを特徴とする。
【００２６】
本発明では、提供情報を提供するサイトを記録したウェブサーバコンピュータ等のコンピュータにて実行することでコンピュータが提供装置として動作し、第１提供情報に関連する第２提供情報の提供元を示すリンク等の提供元情報を要求装置にて生成させるＪａｖａＳｃｒｉｐｔ等のスクリプト言語で記述した生成用情報を送信し、要求装置にて生成情報を生成させることにより、要求装置は、生成した提供元情報に基づき第２提供情報の送信を要求することができるので、要求装置側では、第２提供情報を提供するサイトにおいて、第２提供情報の検索を行う必要が無く利便性に優れている。
【００２７】
第１２発明に係るコンピュータプログラムは、提供情報の送信を要求する要求元の装置と通信する通信手段を備えるコンピュータに、提供情報の送信を許可する送信先として登録されていると判定した要求元の装置に対して提供情報の送信を許可させるコンピュータプログラムにおいて、コンピュータに、登録されていると判定した要求元の装置に対して、要求された第１提供情報、及び該第１提供情報に関連し、該第１提供情報と異なる登録を要する第２提供情報の提供元を示す提供元情報を送信させる手順を実行させることを特徴とする。
【００２８】
本発明では、提供情報を提供する会員制サイトを記録したウェブサーバコンピュータ等のコンピュータにて実行することでコンピュータが提供装置として動作し、第１提供情報と共に、他の会員制サイトにて提供される第２提供情報のリンク先をも送信することにより、要求装置側では、後からログインする会員制サイトにおいて、再度提供情報の検索を行う必要が無いので利便性に優れている。
【発明の効果】
【００２９】
本発明に係る情報提供方法、情報提供システム、提供装置及びコンピュータプログラムでは、例えば会員制サイトとして着信メロディ、カラオケ用楽曲等の音楽情報を提供するウェブサーバコンピュータを用いた提供装置から、提供情報の送信を許可する会員として登録している携帯電話を用いた要求装置へ、音楽情報等の第１提供情報と、第１提供情報に関連する選択番号等の符号列を示す符号列情報と、第１提供情報に関連する歌詞を示す文字情報等の第２提供情報の提供元を示すリンク等の提供元情報を要求装置にて生成させるＪａｖａＳｃｒｉｐｔ等のスクリプト言語で記述した生成用情報とを送信する。そして要求装置は、生成用情報により符号列に基づき提供元情報を生成し、生成した提供元情報にて示される提供元へ第２提供情報の送信を要求し、要求された提供装置は、第２提供情報を送信する。
【００３０】
この構成により、操作者により操作される要求装置が、異なる二の会員制サイト、ここでは第１提供情報を送信する会員制サイトと第２提供情報を送信する会員制サイトに対し、関連する二の提供情報、例えばカラオケ用楽曲とその歌詞とを要求する場合で、最初の会員制サイトで所望するカラオケ用楽曲を検索してダウンロードし、そして歌詞を提供する会員制サイトで事前にダウンロードしたカラオケ用楽曲の歌詞をダウンロードするときに、歌詞の検索を行う必要がないので、少ない操作で所望する第２提供情報をダウンロードすることができるため利便性が高いという優れた効果を奏する。
【００３１】
また本発明に係る情報提供方法、情報提供システム、提供装置及びコンピュータプログラムでは、例えば会員制サイトとして着信メロディ、カラオケ用楽曲等の音楽情報を提供するウェブサーバコンピュータを用いた提供装置から、提供情報の送信を許可する会員として登録している携帯電話を用いた要求装置へ、音楽情報等の第１提供情報と、第１提供情報に関連する歌詞を示す文字情報等の第２提供情報の提供元を示す提供元情報とを併せて送信する。そして要求装置は、第１提供情報を受信すると共に、提供元情報にて示される提供元へ、第２提供情報の送信を要求し、要求された提供装置は、要求元の要求装置が登録されていると判定した場合に、要求装置へ第２提供情報を送信する。
【００３２】
この構成により、操作者により操作される要求装置が、異なる登録を要する二の会員制サイト、ここでは第１提供情報を送信する会員制サイトと第２提供情報を送信する会員制サイトとに対し、関連する二の提供情報、例えばカラオケ用楽曲とその歌詞とを要求する場合で、最初の会員制サイトでの登録の判定、即ちログインして、所望するカラオケ用楽曲を検索してダウンロードし、そして歌詞を提供する会員制サイトにログインして、事前にダウンロードしたカラオケ用楽曲の歌詞をダウンロードするときに、歌詞の検索を行う必要がないので、少ない操作で所望する第２提供情報をダウンロードすることができるため利便性が高いという優れた効果を奏する。
【発明を実施するための最良の形態】
【００３３】
以下、本発明をその実施の形態を示す図面に基づいて詳述する。
【００３４】
実施の形態１．
図１は、本発明の実施の形態１における情報提供方法を概念的に示す説明図である。図１中１０及び２０は、ウェブサーバコンピュータ等のコンピュータを用いた本発明の第１提供装置及び第２提供装置であり、第１提供装置１０及び第２提供装置２０は、インターネット等の通信網１００に接続している。通信網１００には、データ通信機能及び電話通信機能を有する携帯電話等の通信装置を用いた要求装置３０が接続されている。第１提供装置１０及び第２提供装置２０は、夫々会員制サイトを提供しており、会員として登録している携帯電話等の通信装置からの要求に対して、音楽情報、文字情報等の各種提供情報を提供する。ここでは第１提供装置１０が、ＭＩＤＩ(Musical Instrument Digital Interface)等の規格にて規定される着信メロディ、カラオケ用楽曲等の音楽情報を第１提供情報として提供し、第２提供装置２０が、歌唱曲の歌詞等の文字情報を第２提供情報として提供するものとして以降の説明を行う。
【００３５】
図２は、本発明の実施の形態１における情報提供方法にて用いられる提供装置の構成を示すブロック図である。第１提供装置１０は、装置全体を制御するＣＰＵ(Central Processing Unit) 等の制御手段１１、本発明の実施の形態１のコンピュータプログラム２０１及びデータ等の各種情報を記録したＣＤ−ＲＯＭ(Compact Disc Read Only Memory) 等の記録媒体から各種情報を読み取るＣＤ−ＲＯＭドライブ等の補助記憶手段１２、補助記憶手段１２により読み取られた各種情報を記録するハードディスク等の記録手段１３、情報を一時的に記憶するＲＡＭ(Random Access Memory)等の記憶手段１４、及び通信網１００に接続する通信手段１５を備えている。そして記録手段１３に記録させた本発明の実施の形態１のコンピュータプログラム２０１及びデータ等の各種情報を記憶手段１４に記憶し、制御手段１１により実行することで、ウェブサーバコンピュータ等のコンピュータは、本発明の第１提供装置１０として動作する。
【００３６】
第１提供装置１０が備える記録手段１３には、会員制サイトを構成するウェブページを出力させるためのＣ−ＨＴＭＬ(Compact Hyper-Text Markup Language)、ＭＭＬ(Mobile Markup Language)及びＨＤＭＬ(Handheld Device Markup Language) 等のページ記述言語で記述された各種情報が記録されている。さらに記録手段１３には、様々な第１提供情報、会員として登録されている装置を識別する識別情報等の様々な情報が記録されている。なお第１提供装置１０の構成については、サービス形態に応じて適宜設計を行うことが可能であり、必要で有れば、サイト用のサーバコンピュータとして機能する装置、識別情報に基づく認証処理を行う認証用のサーバコンピュータとして機能する装置、及び第１提供情報を記録するデータベース用のサーバコンピュータとして機能する装置を夫々異なる装置として構成することも可能である。
【００３７】
第２提供装置２０は、制御手段２１、補助記憶手段２２、記録手段２３、記憶手段２４及び通信手段２５を備えており、記録手段２３には、会員制サイトを構成するウェブページを出力させるための各種情報、第２提供情報、及び会員として登録されている装置を識別する識別情報等の様々な情報が記録されている。このように第１提供装置１０及び第２提供装置２０の構成は実質的に同様の構成をなしている。
【００３８】
図３は、本発明の実施の形態１における情報提供方法にて用いられる要求装置３０の構成を示すブロック図である。要求装置３０は、各種通信処理、音声入出力処理、画像表示処理等の各種処理を制御するＣＰＵ等の制御手段３１、各種処理に必要なコンピュータプログラム及びデータ等の情報を記録するＲＯＭ(Read Only Memory)、ＲＡＭ等の記録手段３２を備えている。さらに制御手段３１は、データ通信及び電話通信を制御する通信制御手段３３を制御し、通信制御手段３３は、電話通信用のデジタル音声情報、ページ記述言語で記述された各種デジタルデータ等の情報を送受信するアンテナ及びその付属回路等の通信手段３４を制御する。また制御手段３１は、スピーカ等の音声出力手段３５から出力する音声信号及びマイク等の音声入力手段３６から入力される音声信号の変換処理を行う音声処理手段３７を制御する。音声処理手段３７による変換処理とは、音声出力手段３５から出力すべくデジタル信号をアナログ音声信号に変換する処理、及び音声入力手段３６から入力された音声に基づくアナログ音声信号をデジタル信号に変換する処理である。そして要求装置３０は、制御手段３１の制御により、英数字及び各種命令等のキー入力を受け付ける押し釦等のキー入力手段３８から入力を受け付け、キー入力された情報及び送受信する情報等の各種情報を表示する液晶ディスプレイ等の表示手段３９に必要な情報を表示させる。
【００３９】
要求装置３０が備える記録手段３２には、ページ記述言語で記述された各種情報をウェブページとして表示するための閲覧用ソフトウェアプログラム（以下、ブラウザという）が記録されており、ブラウザの処理により第１提供装置１０及び第２提供装置２０から通信網１００を介して受信した情報をウェブページとして表示手段３９に表示させる。また要求装置３０が備える記録手段３２には、自機を識別する電話番号等の識別情報が予め記録されている。
【００４０】
次に本発明の実施の形態１における情報提供方法にて用いられる各種装置の処理について説明する。図４は、本発明の実施の形態１における情報提供方法にて用いられる第１提供装置１０及び要求装置３０の第１提供情報送受信処理を示すフローチャートである。要求装置３０を操作する操作者は、要求装置３０を操作して、ブラウザを起動し、第１提供装置１０にて提供される会員制サイトにアクセスする。第１提供装置１０では、記憶手段１４に記憶させたコンピュータプログラム２０１を実行する制御手段１１の制御により、要求装置３０からのアクセスに対し、記録している第１提供情報の送信を許可する送信先として登録しているか否かを判定する認証処理を行い（Ｓ１０１）、登録していると判定した場合（Ｓ１０１：ＹＥＳ）、提供すべき第１提供情報の選択を要求する選択要求情報を、通信手段１５から通信網１００を介して要求装置３０へ送信する（Ｓ１０２）。登録しているか否かの判定は、要求装置３０からのアクセスとして第１提供装置１０へ送信されるパケットに含まれる識別情報が、第１提供装置１０に会員として登録されている装置を識別する識別情報と合致するか否かにより行われる。選択要求情報とは、要求装置３０から送信を要求する第１提供情報を選択するためのウェブページを表示させる情報である。
【００４１】
ステップＳ１０１において、登録されていないと判定した場合（Ｓ１０１：ＮＯ）、第１提供装置１０では、会員として登録されていないためサイトを利用することができないことをウェブページとして要求装置３０に通知する所定の異常処理を行い（Ｓ１０３）、処理を終了する。なおサイトを利用することができないことを通知するウェブページに、会員として登録するための操作を要求する情報を示す様にしても良い。
【００４２】
要求装置３０は、制御手段３１の制御により、通信手段３４にて選択要求情報を受信し（Ｓ１０４）、受信した選択要求情報に基づく画像をウェブページとして表示手段３９に表示する（Ｓ１０５）。選択要求情報に基づき表示される画像であるウェブページとしては、検索条件を入力する欄、所望する第１提供情報を直接選択するＵＲＬ(Universal Resource Locator)を示す番号等の、操作者が要求する第１提供情報を選択するための画像が表示される。操作者は、ウェブページとして表示される選択要求情報に対して、所望の第１提供情報を選択する入力、例えば検索条件の入力を行う。要求装置３０は、制御手段３０の制御により、キー入力手段３８から第１提供情報を選択する入力を受け付け（Ｓ１０６）、受け付けた選択に基づいて第１提供情報の送信を要求する第１要求情報を、通信手段３４から通信網１００を介して第１提供装置１０へ送信する（Ｓ１０７）。説明の便宜上、ここでは一度の選択で第１提供情報の送信を要求する第１要求情報を送信するとしているが、実際には、最初に示される選択要求情報に基づくウェブページから検索条件及びジャンルの入力等の操作を経て所望する第１提供情報を要求するウェブページに辿り着くまでに、煩雑な操作が必要となる。
【００４３】
第１提供装置１０では、制御手段１１の制御により、通信手段１５にて第１要求情報を受信し（Ｓ１０８）、受信した第１要求情報により要求された第１提供情報、該第１提供情報に関連する符号列を示す符号列情報、及び該符号列情報に基づき第２提供情報の提供元のＵＲＬをリンクとして示す提供元情報を生成させる生成用情報を、通信手段１５から通信網１００を介して要求装置３０へ送信する（Ｓ１０９）。第１提供情報は、着信メロディ、カラオケ用楽曲等の音楽情報、又は該音楽情報の送信を要求する要求先を示すＵＲＬ等の情報であり、記録手段１３から抽出される情報である。符号列情報とは、音楽情報を識別するＩＤとして付与されている選択番号等の情報である。生成用情報とは、ＪａｖａＳｃｒｉｐｔ等のスクリプト言語で記述された情報である。
【００４４】
要求装置３０は、制御手段３１の制御により、通信手段３４にて第１提供情報、符号列情報及び生成用情報を受信し（Ｓ１１０）、受信した第１提供情報、符号列情報及び生成用情報に基づく画像をウェブページとして表示手段３９に表示する（Ｓ１１１）。
【００４５】
図５は、本発明の実施の形態１における情報提供方法にて用いられる要求装置３０が備える表示手段３９に表示される画像を示す説明図である。図５は、第１提供情報送受信処理におけるステップＳ１１１にて第１提供情報、符号列情報及び生成用情報に基づき表示されるウェブページを示している。画面上方のＡとして示した位置には、ウェブページに対する説明文が示されている。説明文の下方のＢとして示した位置には、符号列情報に基づく「24029 」と示された選択番号、曲名、歌手名等の音楽情報に関連する情報が示されている。音楽情報に関連する情報の下方のＣとして示した位置には、当該会員制サイトの利用状況を示す情報が示されている。利用状況を示す情報の下方のＤとして示した位置には、様々な情報の要求先を示すＵＲＬが、番号及び説明と共に示されている。番号「１」、「２」及び「３」は、第１提供情報に基づく情報、即ち音楽情報の要求先を示す情報である。操作者が番号「１」、「２」又は「３」を選択する操作を行うことにより、要求装置３０は、第１提供情報に基づく要求先に接続し、選択番号にて識別される音楽情報の送信を要求する処理を行い、要求した音楽情報をダウンロードすることができる。なお番号「１」、「２」及び「３」により要求される夫々の音楽情報の差は、対応機種、曲の長さ、和音数等の属性の差である。番号「４」は、生成用情報に関連付けられており、操作者が番号「４」を選択する操作を行うことで、生成用情報の処理により、第２提供情報を要求する第２提供情報送受信処理が開始される。
【００４６】
図６は、本発明の実施の形態１における情報提供方法にて用いられる第２提供装置２０及び要求装置３０の第２提供情報送受信処理を示すフローチャートである。要求装置３０は、図５に示すウェブページを表示させた状態から所定の操作を受け付けることにより、第２提供情報を要求する処理を開始する。要求装置３０は、制御手段３１の制御により、キー入力手段３８から操作を受け付け、生成用情報を実行させることにより、符号列情報に基づき第２提供情報の提供元を示す提供元情報を生成し（Ｓ２０１）、生成した提供元情報にて示される提供元、ここでは第２提供装置２０へ、第２提供情報の送信を要求する第２要求情報を、通信手段３４から通信網１００を介して送信する（Ｓ２０２）。ステップＳ２０１にて提供元情報を生成する処理とは、生成用情報に含まれている基本情報、即ち「http://www.digikashi.com/data/」等のＵＲＬの一部に、符号列情報である「24029 」を組み合わせてＵＲＬを生成する処理である。生成されたＵＲＬ、即ち提供元情報は、符号列情報により第１提供情報に関連付けられた第２提供情報、ここではカラオケ用楽曲の歌詞を示す文字情報又は該文字情報の送信を要求する要求先を示している。
【００４７】
第２提供装置２０は、制御手段２１の制御により、通信手段２５にて第２要求情報を受信し（Ｓ２０３）、第２要求情報による第２提供情報の送信の要求に対して、要求元の要求装置３０が、第２提供情報の送信を許可する送信先として登録されているか否かを判定する認証処理を行う（Ｓ２０４）。ステップＳ２０４における登録されているか否かの判定は、要求装置３０の識別情報が、第１提供装置１０に会員として登録されている装置を識別する識別情報と合致するか否かにより行われる。
【００４８】
ステップＳ２０４において、登録されていると判定した場合（Ｓ２０４：ＹＥＳ）、第２提供装置２０は、制御手段２１の制御により、第２要求情報により要求されている第２提供情報を、通信手段２４から通信網１００を介して要求装置３０へ送信する（Ｓ２０５）。
【００４９】
要求装置３０は、制御手段３１の制御により、通信手段３４にて第２提供情報を受信し（Ｓ２０６）、受信した第２提供情報に基づく画像をウェブページとして表示手段３９に表示する（Ｓ２０７）。
【００５０】
図７は、本発明の実施の形態１における情報提供方法にて用いられる要求装置３０が備える表示手段３９に表示される画像を示す説明図である。図７は、第２提供情報送受信処理におけるステップＳ２０７にて第２提供情報に基づき表示されるウェブページを示している。画面上方のＥとして示した位置には、選択番号、曲名、歌手名等の文字情報に関連する情報が示されている。画面下方のＦとして示した位置には、第２提供情報である歌詞を示す文字情報（図中では○△×と表記）が示されている。
【００５１】
図６のフローチャートに戻り、ステップＳ２０４において、登録されていないと判定した場合（Ｓ２０４：ＮＯ）、第２提供装置２０は、制御手段２１の制御により、要求装置３０へ、登録の諾否について回答を要求する諾否要求情報を、通信手段２４から通信網１００を介して要求装置３０へ送信する（Ｓ２０８）。諾否要求情報とは、第２提供装置２０が提供する会員制サイトへの登録を行わせるためのウェブページを表示させる情報である。
【００５２】
要求装置３０は、制御手段３１の制御により、通信手段３４にて諾否要求情報を受信し（Ｓ２０９）、受信した諾否要求情報に基づく画像をウェブページとして表示手段３９に表示する（Ｓ２１０）。諾否要求情報に基づくウェブページを確認した操作者は、会員制サイトへの登録の要否を検討し、登録を行うと決定した場合、登録を承諾すること示す入力を行う。要求装置３０は、制御手段３１の制御により、キー入力手段３８から登録を承諾する入力を受け付け（Ｓ２１１）、受け付けた入力に基づいて諾否要求情報に対して、登録を承諾する登録承諾情報を、通信手段３４から通信網１００を介して第２提供装置２０へ送信する（Ｓ２１２）。なお登録を行わない場合、操作者が所定の操作を行うことにより、登録承諾情報の送信及び以下に示す登録処理は行われない。
【００５３】
第２提供装置２０では、制御手段２１の制御により、通信手段２４にて登録承諾情報を受信し（Ｓ２１３）、受信した登録承諾情報の送信元の要求装置３０を、提供情報の送信を許可する送信先として登録する登録処理、即ち要求装置３０の識別情報を会員として記録する処理を行い（Ｓ２１４）、ステップＳ２０５へ進み、第２提供情報を要求装置３０へ送信する以降の処理を実施する。
【００５４】
このようにして操作者は、第１提供情報を入手後、関連する第２提供情報を入手することができる。
【００５５】
実施の形態２．
図８は、本発明の実施の形態２における情報提供方法にて用いられる提供装置の構成を示すブロック図である。実施の形態２は、実施の形態１において生成用情報を用いない方法である。本発明の実施の形態２では、ウェブサーバコンピュータ等のコンピュータが、本発明の実施の形態２のコンピュータプログラム２０２を記録している記録媒体からコンピュータプログラム及びデータ等の情報を読み取り、制御手段１１の制御により実行することで、コンピュータは、本発明の実施の形態２における第１提供装置１０として動作する。その他の構成については、実施の形態１と同様であるので、実施の形態１を参照するものとし、その説明を省略する。
【００５６】
次に本発明の実施の形態２における情報提供方法にて用いられる各種装置の処理について説明する。図９は、本発明の実施の形態２における情報提供方法にて用いられる第１提供装置１０及び要求装置３０の第１提供情報送受信処理を示すフローチャートである。実施の形態２における第１提供情報送受信処理において、第１提供装置１０が要求装置３０から、第１提供情報の送信を要求する第１要求情報を受信するまでの処理は、図４を用いて示した本発明の実施の形態１における第１提供情報送受信処理のステップＳ１０１〜Ｓ１０８の処理と同様であるので、実施の形態１を参照するものとし、その説明を省略する。
【００５７】
第１要求情報を受信した第１提供装置１０は、記憶手段１４に記憶させたコンピュータプログラム２０２を実行する制御手段１１の制御により、受信した第１要求情報により要求された第１提供情報、該第１提供情報に関連する符号列を示す符号列情報、及び第１提供情報に関連する第２提供情報の提供元を示す提供元情報を、通信手段１５から通信網１００を介して要求装置３０へ送信する（Ｓ３０１）。第１提供情報は、着信メロディ、カラオケ用楽曲等の音楽情報、又は該音楽情報の送信を要求する要求先を示すＵＲＬ等の情報であり、記録手段１３から抽出される情報である。符号列情報とは、音楽情報を識別するＩＤとして付与されている選択番号等の情報である。提供元情報とは、第２提供情報の提供元を示すＵＲＬ等の情報である。
【００５８】
要求装置３０は、制御手段３１の制御により、通信手段３４にて第１提供情報、符号列情報及び提供元情報を受信し（Ｓ３０２）、受信した第１提供情報、符号列情報及び提供元情報に基づく画像をウェブページとして表示手段３９に表示する（Ｓ３０３）。ステップＳ３０３にて表示される画像は、図５に示す本発明の実施の形態１における情報提供方法にて用いられる要求装置３０が備える表示手段３９に表示される画像と同様である。ただし図５におけるＤとして示した位置の番号「４」は、提供元情報に関連付けられており、操作者が番号「４」を選択する操作を行うことにより、提供元情報にて示される第２提供装置２０へ第２提供情報の送信を要求する第２提供情報送受信処理が開始される。
【００５９】
図１０は、本発明の実施の形態２における情報提供方法にて用いられる第２提供装置２０及び要求装置３０の第２提供情報送受信処理を示すフローチャートである。要求装置３０は、図５に示すウェブページを表示させた状態から所定の操作を受け付けることにより、第２提供情報を要求する処理を開始する。要求装置３０は、制御手段３１の制御により、キー入力手段３９から操作を受け付け、受け付けた操作に基づいて提供元情報にて示される提供元、ここでは第２提供装置２０へ、第２提供情報の送信を要求する第２要求情報を、通信手段３４から通信網１００を介して送信する（Ｓ４０１）。実施の形態１では、生成用情報を実行することにより、提供元情報を生成しているが、実施の形態２では、提供元情報が予め示されているので、生成する処理は不要となる。なお第２提供装置２０が第２要求情報を受信してからの処理は、図６を用いて示した本発明の実施の形態１における第２提供情報送受信処理のステップＳ２０３〜Ｓ２１４の処理と同様であるので、実施の形態１を参照するものとし、その説明を省略する。
【００６０】
前記実施の形態１及び２では、第１提供装置及び第２提供装置が異なる装置である形態を示したが、本発明はこれに限らず、第１提供装置及び第２提供装置を一つの装置にて構成しても良い。例えば第１提供情報を提供する会員制サイトの管理事業体と第２提供情報を提供する会員制サイトの管理事業体とが同一の事業体である場合、一つのウェブサーバコンピュータから二つの会員制サイトを提供する形態が考えられるからである。
【００６１】
前記実施の形態１及び２では、第１提供情報が、音楽情報の送信を要求する要求先を示す情報である形態を示したが、本発明はこれに限らず、第１提供情報が音楽情報そのものであっても良い。また前記実施の形態１及び２では、第２提供情報が、文字情報である形態を示したが、本発明はこれに限らず、第２提供情報が文字情報の送信を要求する要求先を示す情報であっても良い。
【００６２】
前記実施の形態１及び２では、第１提供情報が音楽情報又はその要求先を示す情報であり、第２提供情報が文字情報又はその要求先を示す情報である形態を示したが、本発明はこれに限らず、歌詞である文字情報又はその要求先を示す情報を第１提供情報とし、歌詞に関連する楽曲である音楽情報又はその要求先を示す情報を第２提供情報としても良い。
【００６３】
また前記実施の形態１及び２では、第１提供情報に係る情報と第２提供情報に係る情報とのどちらか一方が音楽情報である形態を示したが、本発明はこれに限らず、両方が音楽情報であっても良い。例えば第１提供情報に係る音楽情報が、「着うた」と呼ばれる歌手による歌入りの楽曲の音楽情報であり、第２提供情報に係る音楽情報が、歌が入っていない着信メロディとして用いられる曲のみの音楽情報である場合を例示することができる。歌入りの楽曲である場合、例え演奏時間が短い試聴用の音楽情報であったとしてもデータサイズが大きくなり、ダウンロードのためのパケット料金が高額になる。従ってメロディの確認用に曲のみでデータサイズが小さい音楽情報を試聴用にダウンロードするという使用方法を提供することにより、パケット料金を抑制する経済的な使用方法を提案することができる。
【００６４】
さらに関連する情報同士で有れば、第１提供情報及び第２提供情報は様々な形態に展開することも可能であり、例えば第１提供情報が書籍の購入に関する情報であり、第２提供情報が書籍の書評に関する情報であっても良い。
【００６５】
前記実施の形態１及び２では、要求装置が携帯電話である形態を示したが、本発明はこれに限らず、パーソナルコンピュータ等の様々な通信装置に適用することが可能である。
【図面の簡単な説明】
【００６６】
【図１】本発明の実施の形態１における情報提供方法を概念的に示す説明図である。
【図２】本発明の実施の形態１における情報提供方法にて用いられる提供装置の構成を示すブロック図である。
【図３】本発明の実施の形態１における情報提供方法にて用いられる要求装置の構成を示すブロック図である。
【図４】本発明の実施の形態１における情報提供方法にて用いられる第１提供装置及び要求装置の第１提供情報送受信処理を示すフローチャートである。
【図５】本発明の実施の形態１における情報提供方法にて用いられる要求装置が備える表示手段に表示される画像を示す説明図である。
【図６】本発明の実施の形態１における情報提供方法にて用いられる第２提供装置及び要求装置の第２提供情報送受信処理を示すフローチャートである。
【図７】本発明の実施の形態１における情報提供方法にて用いられる要求装置が備える表示手段に表示される画像を示す説明図である。
【図８】本発明の実施の形態２における情報提供方法にて用いられる提供装置の構成を示すブロック図である。
【図９】本発明の実施の形態２における情報提供方法にて用いられる第１提供装置及び要求装置の第１提供情報送受信処理を示すフローチャートである。
【図１０】本発明の実施の形態２における情報提供方法にて用いられる第２提供装置及び要求装置の第２提供情報送受信処理を示すフローチャートである。
【符号の説明】
【００６７】
１０  第１提供装置
２０  第２提供装置
３０  要求装置
１００  通信網
２０１，２０２  コンピュータプログラム
【図１】
2006072539.tif 000003
【図２】
2006072539.tif 000004
【図３】
2006072539.tif 000005
【図４】
2006072539.tif 000006
【図５】
2006072539.tif 000007
【図６】
2006072539.tif 000008
【図７】
2006072539.tif 000009
【図８】
2006072539.tif 000010
【図９】
2006072539.tif 000011
【図１０】
2006072539.tif 000012